【事件の表示】
　特許第３１９３０７６号「人工透析用ポンプ」の請求項１に係る特許に対する特許異議の申立てについて、次のとおり決定する。
【結　論】
　訂正を認める。
　特許第３１９３０７６号の請求項１に係る特許を維持する。
【理　由】
【１】手続の経緯
　特許第３１９３０７６号の請求項１乃至３に係る発明についての出願は、平成３年７月３１日に特許出願され、平成１３年５月２５日にその発明について特許権の設定登録がなされ、その後、その請求項１に係る特許について、申立人・黒滝由紀子より特許異議の申立てがなされ、取消しの理由が通知され、その指定期間内である平成１４年７月３日に訂正請求（後日取下）がなされ、再度の取消しの理由が通知され、その指定期間内である平成１４年８月２２日に再度の訂正請求がなされたものである。
　
【２】訂正の適否についての判断
［１］訂正の内容
　訂正の内容は、平成１４年８月２２日付けの訂正請求書及びそれに添付された訂正明細書の記載からみて、以下のとおりである。
（ｉ）訂正事項１
　特許請求の範囲の請求項１の
「透析液が流れるハウジング内に、軸全体および軸に連結した透析液圧送用のインペラを配置し、上記ハウジング内の透析液を潤滑流体として上記軸を支持する動圧軸受を上記ハウジング内に設けたことを特徴とする人工透析用ポンプ。」
との記載を、
「透析液が流れる
シールレス構造の
ラジアル方向に
、上記軸にはロータを取り付け、このロータは上記ハウジングの外側に上記ロータに対向するように設けたステータが発生する回転磁界によって回転するようになっており、上記動圧軸受は上記ロータの両脇に配置している
と訂正する。
（ii）訂正事項２
　特許請求の範囲の請求項２の
「上記ハウジングの内周面と上記動圧軸受の外周面との間にＯリングを介在させたことを特徴とする請求項１に記載の人工透析用ポンプ。」
との記載を、
「
透析液が流れるハウジング内に、軸全体および軸に連結した透析液圧送用のインペラを配置し、上記ハウジング内の透析液を潤滑流体として上記軸を支持する動圧軸受を上記ハウジング内に設け、
る人
と訂正する。
（iii）訂正事項３
　特許請求の範囲の請求項３の
「上記動圧軸受は、ハウジング内周に接する調芯用の突起を有し、潤滑性と耐磨耗性および透析液に対する耐変質性を有するプラスチックで作られていることを特徴とする請求項１に記載の人工透析用ポンプ。」
との記載を、
「
透析液が流れるハウジング内に、軸全体および軸に連結した透析液圧送用のインペラを配置し、上記ハウジング内の透析液を潤滑流体として上記軸を支持する動圧軸受を上記ハウジング内に設け、
る人
と訂正する。
（iv）訂正事項４
　発明の詳細な説明の段落【０００７】における
「上記目的を達成するため、本発明の人工透析用ポンプは、透析液が流れるハウジング内に、軸全体および軸に連結した透析液圧送用のインペラを配置し、上記ハウジング内の透析液を潤滑流体として上記軸を支持する動圧軸受を上記ハウジング内に設けたことを特徴としている。」
との記載を、
「上記目的を達成するため、本発明の人工透析用ポンプは、透析液が流れる
シールレス構造の
ラジアル方向に
、上記軸にはロータを取り付け、このロータは上記ハウジングの外側に上記ロータに対向するように設けたステータが発生する回転磁界によって回転するようになっており、上記動圧軸受は上記ロータの両脇に配置している
と訂正する。
［２］訂正の目的の適否、新規事項の有無及び拡張・変更の存否
　上記訂正事項１は、請求項１において、ハウジングの構造、動圧軸受による軸の支持方向、ステータ及びロータの配置箇所、動圧軸受の配置箇所を、明細書の段落【００１４】の記載に基づいて限定する訂正であるから、特許請求の範囲の減縮を目的とするものである。
　また、上記訂正事項２及び３は、従属形式で記載されていた訂正前の請求項２及び３と全く同じ内容を、それぞれ単に独立形式に書き換えたものであって、明りょうでない記載の釈明を目的とするものである。
　さらに、上記訂正事項４は、上記訂正事項１との整合性を図るためのものであるから、明りょうでない記載の釈明を目的とするものである。
　そして、上記いずれの訂正事項も、新規事項の追加に該当せず、「軸受けの寿命低下を招くことなく、シールレス化を実現でき、長寿命でメンテナンス費用が安い人工透析用ポンプを提供する」という課題に変更を及ぼすものでもないから、実質上特許請求の範囲を拡張し、又は変更するものでもない。
［３］独立特許要件
　請求項２及び３は、異議申し立てのされていない請求項であって、明りょうでない記載の釈明を目的として訂正されたものであるから、請求項２及び３に係る発明については、独立特許要件の判断を要さないものである。
［４］むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
【３】特許異議の申立てについての判断
［１］特許異議の申立ての概要
　申立人・黒滝由紀子は、証拠方法として、甲第１号証（米国特許第４３８２１９９号明細書）及び甲第２号証（「人工腎臓用透析液粉末製剤　リンパック」のカタログ、２００１年４月改訂）を提出し、本件の請求項１に係る発明は、甲第１号証及び甲第２号証に記載された発明に基いてその発明の属する技術の分野における通常の知識を有する者が容易に発明をすることができたものであるから、特許法第２９条第２項の規定により特許を受けることができないものであり、本件の請求項１に係る発明についての特許を取り消すべきである旨主張している。
［２］本件の請求項１に係る発明
　上記【２】で示したように上記訂正が認められるので、本件の請求項１に係る発明（以下、「本件発明」という。）は、上記訂正請求書に添付された訂正明細書の特許請求の範囲の請求項１に記載されたとおりのものである（上記【２】［１］（ｉ）訂正事項１参照）。
［３］甲各号証
（ａ）甲第１号証として提出された米国特許第４３８２１９９号明細書には、
（１）明細書第１頁第１欄第５〜１２行の
『本発明は、モータに関し、より詳細にはブラシレスＤＣモータに用いる流体ベアリングに関する。
　本発明は、特に人工心臓または左心室補助装置（ＬＶＡＤ）への使用に関して説明されるものであるが、本発明による流体ベアリングの概念はさらに広い用途に適用されるものであると理解すべきである。』（添付された甲第１号証抄訳第１頁第３〜７行参照）
なる記載、
（２）同第１頁第２欄第３７〜４９行の
『本発明のポンプは図１及び図２に符号１０で示されている。このポンプは、内部にモー夕１２が載置されるハウジング１１を有している。ハウジングは、略円筒形とされており、外スリーブ１４と内スリーブ１５とを有している。外スリーブと内スリーブとは、・・・（中略）・・・離間して配置されている。２つのスリーブの間の空間には、気体または液体、好ましくは低粘度の動力学的流体とされた流体のための流路２０が形成されている。この流体は、インペラ２５によって流路を通って押し出される。インペラ２５は、モータ１２のロータ２７上のシャフト２６に固定されている。』（抄訳第１頁第９〜１８行参照）
なる記載、
（３）同第２頁第３欄第３〜１２行（抄訳第２頁第１４〜２１行参照）の
『ロータは、内側端部に、一体化されたシャフト４６とディスク４７とを有している。これらシャフト及びディスクには、コイル３７によって形成される回転磁界と協働して孔部内でロータを回転させる複数の磁極部材４８が載置されている。
　ロータの他端には、シャフト４６に固定されると共に環状フランジ５０において終端する第二シャフト４９が設けられている。シャフト４６及びディスクプレート４７並びに第二シャフト４９及びフランジ５０は、ステンレススチールまたはベリリウム銅合金で製造することができる。』
なる記載、
（４）同第２頁第３欄第２４〜３７行の
『ロータ２７の外径は、好ましくは、ステータの孔部４０の内径よりも約０．０００６インチ小さくされている。流路２０を流通する流体は、孔部４０をも満たすと共に、ステータの円筒表面とロータの円筒表面との間、および、プラグ４１とディスクプレート４７とが対向する表面間で、流体力学的ベアリングを提供することがわかる。』（抄訳第３頁第４〜８行参照）
なる記載及び
（５）同第２頁第４欄第５８〜６４行の
『したがって、ロータの円筒面とステータの円筒面との間には実質的に一定とされた流体力学的効果が生じている。これにより、ロータは、ステータ内で中心に維持されるとともに、好ましくはＤＣ２００油（１．５センチストークの粘度を有するメチルシリコンオイル）または水とされた低い粘度を有する流体の上に浮かぶことになる。』（抄訳第３頁第１９〜２３行参照）
なる記載、そして
（６）図面の記載内容、
等からみて、下記の発明Ａが記載されていると認められる。
［発明Ａ］
「水等の液体が流れるハウジング１１内に、シャフト４６及びディスクプレート４７並びに第二シャフト４９及びフランジ５０等の円筒形のロータ２７を構成する軸体全体および軸体に連結した液体圧送用のインペラ２５を配置し、上記ハウジング１１内の水等の液体をロータの円筒面とステータの円筒面との間に流体力学的効果を生ずる液体として上記軸体をラジアル方向に支持する流体力学的ベアリングを上記ハウジング１１内に設けた人工心臓に用いられるポンプ。」
（ｂ）甲第２号証として提出された「人工腎臓用透析液粉末製剤　リンパック」のカタログは、２００１年（平成１３年）４月に改訂されたものであるので、本件の特許出願前に日本国内又は外国において頒布された刊行物とはいえず、本件発明の新規性・進歩性を否定し得る証拠として採用できない。
［４］本件発明と発明Ａとの対比・判断
　本件発明と上記発明Ａとを対比すると、発明Ａにおける「ハウジング１１」、「シャフト４６及び第二シャフト４９」、「インペラ２５」、「ロータの円筒面とステータの円筒面との間に流体力学的効果を生ずる液体」そして「流体力学的ベアリング」なる各文言は、それらの意味、機能または作用等からみて、それぞれ、順に、本件発明の「ハウジング」、「軸」、「インペラ」、「潤滑流体」そして「動圧軸受」なる各文言に相当すると認められるから、本件発明と発明Ａとは、
「液体が流れるハウジング内に、軸全体および軸に連結した液体圧送用のインペラを配置し、上記ハウジング内の液体を潤滑流体として上記軸をラジアル方向に支持する動圧軸受を上記ハウジング内に設け、上記軸にはロータを取り付けた医療用ポンプ」、
である点で一致している。
　しかしながら、上記発明Ａは、少なくとも本件発明の構成に欠くことのできない事項である、「シールレス構造」のハウジングとし、「ハウジングの外側に上記（ハウジング内に配置された軸に取り付けられた）ロータに対向するように設けたステータ」を有し、「動圧軸受は上記ロータの両脇に配置している」構成、を備えておらず、また、甲第１号証にはかかる構成を示唆する記載もない。
　そして、本件発明は、上記の構成を有することにより、『透析液の漏れをなくすことができ、メンテナンス費用を低減できる』（明細書の段落【００２２】参照）という効果を奏するものと認められる。
　それ故、本件発明が、上記発明Ａであるとも、また、上記発明Ａに基いて当業者が容易に発明をすることができたものであるとも、認めることができない。
［５］取消理由について
　当審から通知された取消の理由は、何れも、上記訂正により解消されている。
［６］むすび
　以上のとおりであるから、特許異議申立の理由及び証拠によっては本件発明についての特許を取り消すことはできない。
　また、他に本件発明についての特許を取り消すべき理由を発見しない。
　したがって、本件発明についての特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１４年８月２２日（２００２．８．２２）
【訂正の要旨】
訂正の要旨
（１）訂正事項ａ
　特許請求の範囲の請求項１の
「透析液が流れるハウジング内に、軸全体および軸に連結した透析液圧送用のインペラを配置し、上記ハウジング内の透析液を潤滑流体として上記軸を支持する動圧軸受を上記ハウジング内に設けたことを特徴とする人工透析用ポンプ。」
との記載を、
「透析液が流れる
シールレス構造の
ラジアル方向に
、上記軸にはロータを取り付け、このロータは上記ハウジングの外側に上記ロータに対向するように設けたステータが発生する回転磁界によって回転するようになっており、上記動圧軸受は上記ロータの両脇に配置している
と訂正する。
（２）訂正事項ｂ
　特許請求の範囲の請求項２の
「上記ハウジングの内周面と上記動圧軸受の外周面との間にＯリングを介在させたことを特徴とする請求項１に記載の人工透析用ポンプ。」
との記載を、
「
透析液が流れるハウジング内に、軸全体および軸に連結した透析液圧送用のインペラを配置し、上記ハウジング内の透析液を潤滑流体として上記軸を支持する動圧軸受を上記ハウジング内に設け、
　上記ハウジングの内周面と上記動圧軸受の外周面との間にＯリングを介在させたことを特徴とす
る人
と訂正する。
（３）訂正事項ｃ
　特許請求の範囲の請求項３の
「上記動圧軸受は、ハウジング内周に接する調芯用の突起を有し、潤滑性と耐磨耗性および透析液に対する耐変質性を有するプラスチックで作られていることを特徴とする請求項１に記載の人工透析用ポンプ。」
との記載を、
「
透析液が流れるハウジング内に、軸全体および軸に連結した透析液圧送用のインペラを配置し、上記ハウジング内の透析液を潤滑流体として上記軸を支持する動圧軸受を上記ハウジング内に設け、
　上記動圧軸受は、ハウジング内周に接する調芯用の突起を有し、潤滑性と耐磨耗性および透析液に対する耐変質性を有するプラスチックで作られていることを特徴とす
る人
と訂正する。
（４）訂正事項ｄ
　発明の詳細な説明の段落【０００７】における
「上記目的を達成するため、本発明の人工透析用ポンプは、透析液が流れるハウジング内に、軸全体および軸に連結した透析液圧送用のインペラを配置し、上記ハウジング内の透析液を潤滑流体として上記軸を支持する動圧軸受を上記ハウジング内に設けたことを特徴としている。」
との記載を、
「上記目的を達成するため、本発明の人工透析用ポンプは、透析液が流れる
シールレス構造の
ラジアル方向に
、上記軸にはロータを取り付け、このロータは上記ハウジングの外側に上記ロータに対向するように設けたステータが発生する回転磁界によって回転するようになっており、上記動圧軸受は上記ロータの両脇に配置している
と訂正する。
（５４）【発明の名称】
人工透析用ポンプ
（５７）【特許請求の範囲】
　【請求項１】　透析液が流れる
シールレス構造の
ラジアル方向に
、上記軸にはロータを取り付け、このロータは上記ハウジングの外側に上記ロータに対向するように設けたステータが発生する回転磁界によって回転するようになっており、上記動圧軸受は上記ロータの両脇に配置している
　【請求項２】　
透析液が流れるハウジング内に、軸全体および軸に連結した透析液圧送用のインペラを配置し、上記ハウジング内の透析液を潤滑流体として上記軸を支持する動圧軸受を上記ハウジング内に設け、
　上記ハウジングの内周面と上記動圧軸受の外周面との間にＯリングを介在させたことを特徴とす
る人
　【請求項３】　
透析液が流れるハウジング内に、軸全体および軸に連結した透析液圧送用のインペラを配置し、上記ハウジング内の透析液を潤滑流体として上記軸を支持する動圧軸受を上記ハウジング内に設け、
　上記動圧軸受は、ハウジング内周に接する調芯用の突起を有し、潤滑性と耐摩耗性および透析液に対する耐変質性を有するプラスチックで作られていることを特徴とす
る人
【発明の詳細な説明】
　【０００１】
　【産業上の利用分野】
　本発明は、人工透析用ポンプに関する。
　【０００２】
　【従来の技術】
　従来、人工透析用ポンプとしては、図４に示すものがある。この人工透析用ポンプは、ハウジング５１内に軸５２に連結した透析液圧送用のインペラ５３を配置している。上記軸５２には、ロータ５５を取り付けている。ロータ５５は、ハウジング５１の外側にロータ５５に対向するように設けた図示しないステータが発生する回転磁界によって回転させられるようになっている。
　【０００３】
　上記軸５２はハウジング５１の開口端５１ａから外側へ突き出しており、ハウジング５１の外部でころがり軸受５７で支持されている。ハウジング５１の開口端５１ａと軸５２との間にはメカニカルシール５６を設けて，ハウジング５１内を流れる透析液（図示しない）が開口端５１ａと軸５２の間からハウジング５１の外側に漏れないようにしている。
　【０００４】
　【発明が解決しようとする課題】
　しかしながら、上記従来の人工透析用ポンプでは、軸５２とメカニカルシール５６との摩擦によってメカニカルシール５６の摩擦が進行すると、透析液の漏れが発生するという問題がある。したがって、メカニカルシール５６を定期的に交換する必要があり、メンテナンス費用が増大するという問題もある。
　【０００５】
　軸５２全体をハウジング５１内に収納し、ころがり軸受５７をハウジング５１内に収納した場合には、上記人工透析用ポンプをシールレス化でき、メカニカルシール５６が不必要になる。しかし、この場合には、ころがり軸受５７を無潤滑運転するようにして、透析液中に潤滑油等の不純物が混入することがないようにしなければならず、ころがり軸受５７がメカニカルシールよりも短寿命となってしまうという問題がある。
　【０００６】
　そこで、本発明の目的は、軸受の寿命低下を招くことなく、シールレス化を実現でき、長寿命でメンテナンス費用が安い人工透析用ポンプを提供することにある。
　【０００７】
　【課題を解決するための手段】
　上記目的を達成するため、本発明の人工透析用ポンプは、透析液が流れる
シールレス構造の
ラジアル方向に
、上記軸にはロータを取り付け、このロータは上記ハウジングの外側に上記ロータに対向するように設けたステータが発生する回転磁界によって回転するようになっており、上記動圧軸受は上記ロータの両脇に配置している
　【０００８】
　また、上記ハウジングの内周面と上記動圧軸受の外周面との間にＯリングを介在させたことが望ましい。
　【０００９】
　また、上記動圧軸受は、ハウジングの内周に接する調芯用の突起を有し、潤滑性と耐摩耗性および透析液に対する耐変質性を有するプラスチックで作られていることが望ましい。
　【００１０】
　【作用】
　上記構成によれば、上記軸が回転すると、上記ハウジング内に設けた動圧軸受が、ハウジング内の透析液を潤滑流体として、上記軸と動圧軸受との間の透析液に動圧を発生させて、上記軸をラジアル方向に支持する。このように、ハウジング内に設けた動圧軸受で上記軸を支持するので、ハウジング内に上記軸全体を収納して、上記ハウジングをシールレス化できる。したがって、シールのメンテナンス費用およびシールからの透析液の漏れが発生した従来例と異なり、透析液の漏れをなくすることができ、メンテナンス費用を低減できる。また、上記動圧軸受は、上記ハウジング内の透析液を動圧発生流体として利用しているので、動圧発生流体が不足するということはなく、上記動圧軸受の寿命が低下することはない。
　【００１１】
　また、上記ハウジングの内周面と上記動圧軸受の外周面との間にＯリングを介在させた場合には、上記Ｏリングが弾性変形することにより、上記動圧軸受と軸との同軸度と同芯度が自動的に確保される。
　【００１２】
　また、上記動圧軸受は、ハウジング内周に接する調芯用の突起を有し、潤滑性と耐摩耗性および透析液に対する耐変質性を有するプラスチックで作られている場合には、上記軸の回転の起動時および停止時における上記動圧軸受と軸との摩擦による、動圧軸受の摩耗粉の発生が抑えられる。したがって、透析液中に上記動圧軸受の摩耗粉が混入することが抑えられる。しかも、上記動圧軸受は潤滑性を有するプラスチックで作られているので、上記軸に過負荷が加わって、上記動圧軸受が透析液に発生させる動圧で軸を支持しきれなくなり、軸が動圧軸受に接触したときにも、動圧軸受自身の潤滑性により、上記軸の滑らかな支持が維持される。さらに、上記動圧軸受のハウジングへの組み付け時に、上記調芯用の突起により、上記動圧軸受と上記軸との同軸度と同芯度が自動的に確保される。
　【００１３】
　【実施例】
　以下、本発明を図示の実施例により詳細に説明する。
　【００１４】
　図１に本発明の人工透析用ポンプの第１の実施例を示す。この実施例は、ハウジング１内に軸２に連結した透析液圧送用のインペラ３を配置している。上記軸２には、ロータ５を取り付けている。このロータ５は、ハウジング１の外側にロータ５に対向するように設けたステータ（図示しない）が発生する回転磁界によって回転するようになっている。また、上記軸２を支持する動圧軸受６，７をハウジング１内に設けている。動圧軸受６，７はロータ５の両脇に配置している。動圧軸受６，７の内周面には動圧溝６ａ，７ａが設けられている。また、動圧軸受６，７の外周面は、ハウジング１の内周面に密着させられている。また、上記軸２の全体をハウジング１内に収納して、ハウジング１をシールレス構造としている。したがって、シールのメンテナンス費用とシールからの透析液の漏れが発生した従来例と異なり、透析液の漏れをなくすることができ、メンテナンス費用を削減できる。
　【００１５】
　上記構成の人工透析用ポンプは、上記ステータが発生する回転磁界によってロータ５と軸２とインペラ３が一緒に回転し、ハウジング１内の透析液（図示しない）を圧送する。そして、動圧軸受６，７の動圧溝６ａ，７ａが、動圧軸受６，７と軸２の間の透析液に動圧を発生させて、軸２をラジアル方向に支持する。このように、動圧軸受６，７はハウジング１内の透析液を潤滑流体として利用できるので、動圧軸受６，７をハウジング内に設けたことによって動圧軸受６，７が潤滑不足になることがなく、動圧軸受６，７の寿命が低下することはない。
　【００１６】
　次に、第２の実施例を図２に示す。
　【００１７】
　この実施例は、図１に示す第１の実施例の動圧軸受７，６とハウジング１に替えて、図２に示す動圧軸受２７，２８とハウジング２１を備え、動圧軸受２７，２８の外周面の軸方向の略中央に設けた細溝２７ｂ，２８ｂと細溝２７ｂ，２８ｂに対向するハウジング２１の内周面に設けた細溝２１ａ，２１ｂの間にＯリング２９，３０を介在させている点のみが、前述の第１の実施例と異なる。したがって、前述の第１の実施例と同一部分には同一番号を付して説明を省略し、第１の実施例と異なる部分を重点的に説明する。
　【００１８】
　この実施例は、動圧溝２７ａ，２８ａを備える動圧軸受２７，２８とハウジング２１との間に介在させたＯリング２９，３０が弾性変形することにより、動圧軸受２７，２８と軸２との同軸度、同芯度を自動的に確保できると共に、動圧軸受２７と２８との同芯度も自動的に確保できる。また、上記細溝２７ｂと２１ａおよび細溝２８ｂと２１ｂによって、Ｏリング２９および３０の軸方向の位置決めを容易にできる。
　【００１９】
　次に、第３の実施例を図３に示す。この実施例は、図１に示す第１の実施例の動圧軸受７，６に替えて、図３に示すプラスチック製の動圧軸受３７，３８を備える点のみが前述の第１の実施例と異なる。したがって、前述の第１の実施例と同一部分には同一番号を付して説明を省略し、第１の実施例と異なる部分を重点的に説明する。
　【００２０】
　動圧軸受３７，３８は、その内周面に動圧溝３７ａ，３８ａを有している。そして、動圧軸受３７，３８は、その外周面に調芯用の断面が略半円形状の突起３７ｂ，３８ｂを有している。動圧軸受３７，３８は、潤滑性と耐摩耗性および透析液に対する耐変質性を有するＰＥＥＫ（ポリ・エーテル・エーテル・ケトン）やテフロン等のプラスチックで作られている。したがって、軸２の回転の起動時および停止時における上記動圧軸受３７，３８と軸２との摩擦による動圧軸受３７，３８の摩耗粉の発生が抑えられる。したがって、透析液中に上記動圧軸受３７，３８の摩耗粉が混入することを抑えることができる。しかも、上記動圧軸受３７，３８は潤滑性を有するプラスチックで作られているので、上記軸２に過負荷が加わって、上記動圧軸受３７，３８が透析液に発生させる動圧で軸２を支持しきれなくなり、軸２が動圧軸受３７，３８に接触したときにも、動圧軸受自身の潤滑性により、上記軸２の滑らかな支持を維持できる。さらに、上記動圧軸受３７，３８のハウジング１への組み付け時に、上記調芯用の突起３７ｂ，３８ｂにより、上記動圧軸受３７，３８と上記軸２との同軸度と同芯度を自動的に確保できる。
　【００２１】
　なお、調芯用の突起は、たとえば周方向に等間隔に、２個，３個等任意の数を設けてもよく、あるいはフランジ状に全周に設けてもよい。
　【００２２】
　【発明の効果】
　以上の説明より明らかなように、本発明の人工透析用ポンプは、ハウジング内に動圧軸受を設け、透析液を動圧発生流体として利用して軸を支持するので、ハウジング内に上記軸全体を収納して、上記ハウジングをシールレス化できる。したがって、シールからの透析液の漏れが発生し、シールのメンテナンス費用が高かった従来例と異なり、透析液の漏れをなくすることができ、メンテナンス費用を低減できる。また、上記動圧軸受は、上記ハウジング内の透析液を潤滑流体として利用できるので、上記動圧軸受をハウジング内に設けたことによって潤滑不足となることがなく、上記動圧軸受の寿命が低下することはない。
　【００２３】
　また、上記ハウジングの内周面と上記動圧軸受の外周面との間にＯリングを介在させた場合には、上記Ｏリングが弾性変形することにより、上記動圧軸受と軸との同軸度と同芯度を自動的に確保できる。
　【００２４】
　また、上記動圧軸受は、調芯用の突起を有し、潤滑性と耐摩耗性および透析液に対する耐変質性を有するプラスチックで作られている場合には、上記軸の回転の起動時および停止時における上記動圧軸受と軸との摩擦による動圧軸受の摩耗粉の発生が抑えられる。したがって、透析液中に上記動圧軸受の摩耗粉が混入することを抑えることができる。しかも、上記動圧軸受は潤滑性を有するプラスチックで作られているので、上記軸に過負荷が加わって、上記動圧軸受が透析液に発生させる動圧で軸を支持しきれなくなり、軸が動圧軸受に接触したときにも、動圧軸受自身の潤滑性により、上記軸の滑らかな支持を維持できる。さらに、上記動圧軸受のハウジングへの組み付け時に、上記調芯用の突起により、上記動圧軸受と軸との同軸度と同芯度を自動的に確保できる。
【図面の簡単な説明】
　【図１】　本発明の第１の実施例の断面図である。
　【図２】　本発明の第２の実施例の断面図である。
　【図３】　本発明の第３の実施例の断面図である。
　【図４】　従来の人工透析用ポンプの断面図である。
　【符号の説明】
　１，２１　　　　ハウジング
　２　　　　　　　軸
　３　　　　　　　インペラ
　５　　　　　　　ロータ
　６，７，２７，２８，３７，３８　　　　　　　　動圧軸受
　６ａ，７ａ，２７ａ，２８ａ，３７ａ，３８ａ　　動圧溝
　２９，３０　　　Ｏリング
　３７ｂ，３８ｂ　フランジ